(57)【要約】【課題】パイプの内部の清掃作業を確実に容易化する。【解決手段】液体が流通されるパイプ１が端口を開放されて配設されている。パイプ１の端部には、液体の漏出を阻止する逆止弁４と逆止弁４の開閉状態を選択的に維持する逆止弁操作機構５とが設けられている。【選択図】        図１
2010038276.tif 000002
【特許請求の範囲】
【請求項１】
液体が流通されるパイプが端口を開放されて配設された配管端末構造において、パイプの端部に液体の漏出を阻止する逆止弁と逆止弁の開放状態，閉鎖状態を選択的に維持する逆止弁操作機構とが設けられていることを特徴とする配管端末構造。
【請求項２】
請求項１の配管端末機構において、逆止弁はパイプの内部に径方向へ突出して設けられた環状の弁座とパイプの内部の弁座よりも奥側に自由状態で収容されたボール形の弁体とからなることを特徴とする配管端末構造。
【請求項３】
請求項１または２の配管端末構造において、逆止弁操作機構はパイプを支持する支持部材に着脱可能でパイプの端口付近から逆止弁に対して直線的に進退するロッドを備えていることを特徴とする配管端末構造。
【請求項４】
請求項１〜３のいずれかの配管端末構造において、パイプは取付部材を介して支持部材に支持され、取付板はパイプの端口を全面的に開口してパイプの端縁が係合されることを特徴とする配管端末構造。
【請求項５】
請求項４の配管端末構造において、取付部材はパイプの軸中心を中心として回動可能に支持板に取付けられていることを特徴とする配管端末構造。
【発明の詳細な説明】
【技術分野】
【０００１】
本発明は、各種の液体が流通されるパイプの配設の端末部分に設けられる配管端末構造に係る技術分野に属する。
【背景技術】
【０００２】
最近、食器洗浄，食品製造等の分野では、厳格な衛生管理の要求に応えるために洗浄液，食品原料液等の液体が流通されるパイプの内部の清掃頻度を高めることが行われている。このため、パイプの内部の清掃作業を容易化する技術の開発が必要とされている。
【０００３】
従来、パイプの内部の清掃作業を容易化することを指向した技術としては、例えば、以下に記載のものが知られている。
【特許文献１】実公平６−３４７７９号公報
【０００４】
特許文献１には、液体が流通されるパイプが端口を開放されて配設され、パイプを支持する支持部材に筒形の受部材が取付けられ、パイプの端部に受部材に圧接されるＯリングが取付けられて受部材にパイプの端部を抜差し可能に嵌合させる配管端末構造が記載されている。
【０００５】
特許文献１に係る配管端末構造は、食器洗浄機の洗浄ノズルに供給される洗浄液がパイプに流通されるもので、受部材からパイプの端部を抜出して、パイプを支持部材（受部材）から分離させた状態として端口から内部をブラッシング，清掃液噴射等により清掃することができるようにしたものである。なお、清掃後には、パイプの端部を再び受部材に差込むことになる。
【発明の開示】
【発明が解決しようとする課題】
【０００６】
特許文献１に係る配管端末構造では、清掃作業の際にパイプと支持部材（受部材）との分解，組付作業が必要で、清掃後の組付の際には洗浄ノズルの噴射方向を調整するためにパイプ，支持部材の間の支持位置の調整という付随作業も必要になるため、パイプの内部の清掃作業が充分に容易化されないという問題点がある。
【０００７】
本発明は、このような問題点を考慮してなされたもので、パイプの内部の清掃作業を確実に容易化することのできる配管端末構造を提供することを課題とする。
【課題を解決するための手段】
【０００８】
前述の課題を解決するため、本発明に係る配管端末構造は、特許請求の範囲の各請求項に記載の手段を採用する。
【０００９】
即ち、本発明に係る配管端末構造では、液体が流通されるパイプが端口を開放されて配設された配管端末構造において、パイプの端部に液体の漏出を阻止する逆止弁と逆止弁の開放状態，閉鎖状態を選択的に維持する逆止弁操作機構とが設けられていることを特徴とする。
【００１０】
この手段では、パイプの端部に逆止弁，逆止弁操作機構を設けることで、逆止弁操作機構により逆止弁を開放状態に維持しておき、液体の流通経路を利用してパイプの奥側から清掃液噴射等により清掃して端口から清掃液等を排出させることができる。また、パイプの内部を開放された端口からブラッシング，清掃液噴射等により清掃することもできる。
【００１１】
また、本発明に係る配管端末構造では、上記の配管端末機構において、逆止弁はパイプの内部に径方向へ突出して設けられた環状の弁座とパイプの内部の弁座よりも奥側に自由状態で収容されたボール形の弁体とからなることを特徴とする。
【００１２】
この手段では、逆止弁が環状の弁座とボール形の弁体とからなることで、パイプに大きな構造変化を要求することなく逆止弁が設けられる。
【００１３】
また、本発明に係る配管端末構造では、逆止弁操作機構はパイプを支持する支持部材に着脱可能でパイプの端口付近から逆止弁に対して直線的に進退するロッドを備えていることを特徴とする。
【００１４】
この手段では、逆止弁操作機構に逆止弁に対して直線的に進退動作するロッドが備えられることで、パイプに大きな構造変化を要求することなく逆止弁操作機構が設けられる。
【００１５】
また、本発明に係る配管端末構造では、パイプは取付部材を介して支持部材に支持され、取付部材はパイプの端口を全面的に開口してパイプの端縁が係合されることを特徴とする。
【００１６】
この手段では、パイプが端口を全面的に開口されて端縁が取付部材に係合されることで、パイプの内部の端口を利用した清掃が不能になることがない。
【００１７】
また、本発明に係る配管端末構造では、取付部材はパイプの軸中心を中心として回動可能に支持板に取付けられていることを特徴とする。
【００１８】
この手段では、取付部材を回動させることで、パイプを回動（パイプに取付けられている洗浄ノズルの噴射角度を調整）させることができる。
【発明の効果】
【００１９】
本発明に係る配管端末構造は、パイプの端部に逆止弁，逆止弁操作機構を設けることで、逆止弁操作機構により逆止弁を開放状態に維持しておき、液体の流通経路を利用してパイプの奥側から清掃液噴射等により清掃して端口から清掃液等を排出させることができて、前述の分解，組付作業や付随作業を不要にすることができるため、パイプの内部の清掃作業を確実に容易化することができる効果がある。また、前述の分解，組付作業や付随作業が不要にもかかわらず、パイプの内部を開放された端口からブラッシング，清掃液噴射等により清掃することもできる効果がある。
【発明を実施するための最良の形態】
【００２０】
以下、本発明に係る配管端末構造を実施するための最良の形態を図面に基づいて説明する。
【００２１】
図１〜図５は、本発明に係る配管端末構造を実施するための最良の形態の第１例を示すものである。
【００２２】
第１例では、食器洗浄機の洗浄ノズルに供給される洗浄液が流通されるパイプ１の配設の端末部分に設けられるものを示してある。
【００２３】
第１例は、図４に詳細に示されるように、パイプ１，取付部材２，支持部材３，逆止弁４，逆止弁操作機構５で構成されている。
【００２４】
パイプ１は、食器洗浄機として洗浄液が噴射される洗浄ノズル（図示せず）が多数個取付けられたステンレス材等の直状管からなるもので、端口が開放されて配設され内部を洗浄液が流通されて各洗浄ノズルに分配供給されるようになっている。パイプ１の端縁は、一部が切欠かれた切欠部１１とされ他の一部が切残された切残部１２とされた凹凸形状に形成されている。
【００２５】
取付部材２は、パイプ１の切残部１２が当接されるようにパイプ１の内径よりもわずかに小さな連通孔２１が開口された円板の一部が径方向に突出された変形の円板形にステンレス材等で形成されている。連通孔２１には、パイプ１の切欠部１１が係合される係合溝２２が設けられている。連通孔２１には、パイプ１の切残部１２が当接される面の反対側の面に補強材としても機能し支持部材３に対する回転軸としても機能する円弧形の裏当板２３が溶接等で固定されている。連通孔２１の径方向の外側の位置には、パイプ１の切残部１２が当接される面の反対側の面に軸線が連通孔２１の軸方向に配置されたボルト２４が溶接等で固定されている。ボルト２４には、ワッシャ２５が嵌合されナット２６が螺合される。また、裏当板２３には、直線状の目印２７が設けられている。
【００２６】
支持部材３は、ステンレス材等で断面コ字形に形成された支持枠３１のパイプ１の端口に対面する面に取付部材２の裏当板２３の外径と一致した径の円形の窓３２が開口されている。支持枠３１は、長さ方向に多数個の窓３２が適当な間隔で並列されている。窓３２の径方向の外側の位置には、窓３２の中心の円線上に取付部材２のボルト２４が挿通可能な円弧形の長孔３３が開口されている。支持枠３１の窓３２，長孔３３が開口された面と直交する上側の面には、支持枠３１の長さ方向に相対的に長く延びた１個のスリット３４が設けられている。支持枠３１の窓３２，長孔３３が開口された面と直交する他の下側の面には、支持枠３１の長さ方向と直交する方向に相対的に短く延びた２個のスリット３５が設けられている。また、窓３２の周縁の取付部材２の目印２７に対応する位置には、角度目盛３６が設けられている。
【００２７】
逆止弁４は、パイプ１の端部付近の内部に径方向へ突出して設けられた環状の弁座４１と、パイプ１の内部の弁座４１よりも奥側に自由状態で収容されたボール形の弁体４２とからなる。弁座４１は、パイプ１を環状に断面Ｕ字形に絞り加工することで形成されている。弁体４２は、弁座４１に水密に当接されるゴム材等の弾性材料からなる。
【００２８】
逆止弁操作機構５は、ロッド５１が支持部材３に着脱可能の支持プレート５２に支持されている。ロッド５１は、丸棒形のロッド本体５１ａの先端部に当接する逆止弁４の弁体４２を損傷することのない紡錘形のヘッド５１ｂが取付けられている。支持プレート５２は、ロッド５１のロッド本体５１ａが固定された中央板５２ａと、中央板５２ａの上下側に傾斜して延びたテーパ板５２ｂ，５２ｃと、中央板５２ａの左右側に直交して延びた側板５２ｄ，５２ｅとを備えている。上側のテーパ板５２ｂの上端には、支持部材３の１個のスリット３４に係合する方形の係止片５２ｆが設けられている。側板５２ｄの下端には、支持部材３の２個のスリット３５にそれぞれ係合する三角形の係止片５２ｇ，５２ｈが設けられている。
【００２９】
第１例では、パイプ１の切残部１２を取付部材２の係合溝２２に係合させ、パイプ１の切欠部１１を取付部材２の連通孔２１の外側に当接させ、取付部材２の裏当板２３を支持部材３の窓３２に嵌合させ、取付部材２のボルト２４を支持部材３の長孔３３に挿通させて、取付部材２のボルト２４にワッシャ２５を嵌合させナット２６を螺合締付けすることで、パイプ１を取付部材２を介して支持部材３に連結取付けすることができる。
【００３０】
このとき、取付部材２のボルト２４を支持部材３の長孔３３の内部にスライドさせることで、パイプ１，取付部材２を回動させてパイプ１に取付けられている洗浄ノズルの噴射角度を調整することができる。この調整については、取付部材２の目印２７と支持部材３の角度目盛３６とによって精密な角度設定が可能である。
【００３１】
そして、支持部材３に支持されて配設されたパイプ１の開放された端口は、取付部材２によって閉塞されることなく、支持部材３の窓３２に連通されてさらに外部へと連通されることになる。
【００３２】
第１例によると、食器洗浄機を運転する際には、図１に示すように、逆止弁操作機構５を支持部材３から取外しておくことになる。
【００３３】
食器洗浄機の運転によって洗浄ノズルに洗浄液が供給されると、パイプ１に流通される洗浄液の水圧で逆止弁４の弁体４２が弁座４１に押付けられる。この結果、逆止弁４が閉鎖されてパイプ１の端口からの洗浄液の漏出が阻止される。
【００３４】
パイプ１の内部を清掃するには、図２に示すように、逆止弁操作機構５を支持部材３に取付け逆止弁操作機構５のロッド５１をパイプ１の内部に進出させることになる。
【００３５】
逆止弁操作機構５の支持部材３への取付けは、逆止弁操作機構５の上方の係止片５２ｆを支持部材３の上方のスリット３４に係合させ、逆止弁操作機構５の下方（側方）の係止片５２ｇ，５２ｈを支持部材３の下方のスリット３５に係合させることで、簡単にほぼワンタッチの操作で実施することができる。
【００３６】
逆止弁操作機構５のロッド５１のパイプ１の内部への進出は、逆止弁４の弁体４２の弁座４１からの離間をもたらす。この結果、逆止弁４が開放されて弁体４２の弁座４１の間に隙間Ｓが形成される。従って、図２に示すように、食器洗浄のための洗浄液の流通経路を利用して清掃液Ｗを噴射等することによって、パイプ１の内部を清掃し汚損した清掃液Ｗをパイプ１の端口から支持部材３の窓３２を介してさらに外部に排出することができる。このとき、逆止弁操作機構５の中央板５２ａ，テーパ板５２ｂ，５２ｃ，側板５２ｄ，５２ｅが清掃液Ｗの吐出方向を囲む格好となるため、清掃液Ｗの周囲への無用の飛散が防止される。
【００３７】
パイプ１の内部清掃の後には、図１に示すように、逆止弁操作機構５を支持部材３から取外すことになる。
【００３８】
即ち、パイプ１の内部を清掃する際に、特許文献１に係る配管端末構造のようなパイプ１等についての分解，組付作業や付随作業を不要にすることができる。従って、パイプ１の内部の清掃作業を確実に容易化することができる。
【００３９】
また、パイプ１の内部を清掃する際には、図５に示すように、外部から支持部材３の窓３２を介してパイプ１の端口へ清掃液Ｗを噴射等することもできる。
【００４０】
清掃液Ｗを逆方向から噴射等した場合、清掃液Ｗの水圧で逆止弁４の弁体４２をパイプ１の内部で回転，転動させてパイプ１の内壁を払拭することができる。この結果、パイプ１の内部の清掃効果を高めることができる。
【００４１】
また、清掃液Ｗをいずれの方向から噴射等するにしても、外部から支持部材３の窓３２を介してパイプ１の端口へブラシを挿入して、逆止弁４の周囲をブラッシングすることができる。この結果、汚物等の付着しやすい逆止弁４の周囲を綺麗に清掃することができる。
【００４２】
図６〜図９は、本発明に係る配管端末構造を実施するための最良の形態の第２例を示すものである。
【００４３】
第２例では、図８に詳細に示されるように、第１例と比較して、逆止弁４を除くパイプ１，取付部材２，支持部材３，逆止弁操作機構５の各部が変更されている。
【００４４】
パイプ１は、切欠部１１，切残部１２がばち形の取付部材２（取付部材本体２８）に対応した凹凸構造に形成されている。
【００４５】
取付部材２は、扇形部分，方形部分からなるばち形の取付部材本体２８の中央部に貫通孔２９が穿孔されている。取付部材本体２８は、パイプ１の径よりも少し大きく形成されてパイプ１の端面に当接されて固定され、パイプ１の開放された端口の一部のみを閉塞する格好になっている。貫通孔２９は、中心がパイプ１の軸中心に位置されている。
【００４６】
支持部材３は、支持枠３１のパイプ１の端口に対面する面開口された円形の窓３２に径方向へ突出された舌片形の支持片３６に貫通孔３７が穿孔されている。窓３２は、径がパイプ１の径よりも少し大きく取付部材２の取付部材本体２８よりも少し小さく形成されている。支持片３６は、窓３２の中心を少し超えるように突出されている。貫通孔３７は、取付部材２の貫通孔２９と同一の径とされ中心が窓３２の中心に位置されている。
【００４７】
逆止弁操作機構５は、ロッド５１のロッド本体５１ａがナット５３，ワッシャ５４が螺合されるスリーブボルト５５に挿通され、ロッド５１の位置が２つの規制溝５６，５７によって選択的に決定されるようになっている。ロッド５１のヘッド５１ｂは、丸頭形に形成されてロッド本体５１ａの先端部に螺合取付けされるナット体に形成されている。ロッド５１のロッド本体５１ａは、ヘッド５１ｂが螺合されるネジ部５１ａａと、ネジ部５１ａａに設けられた先端部から直線状に延びてスリーブボルト５５の内部をスライドするスライド部５１ａｂと、スライド部５１ａｂの後端部でほぼ９０度に屈曲されて延びた操作部５１ａｃとからなる。ナット５３は、スリーブボルト５５の後述するネジ部５５ｃに螺合される。ワッシャ５４は、スリーブボルト５５の後述するネジ部５５ｃに嵌合されてナット５３の締付けを受ける。スリーブボルト５５は、軸中心に貫通されロッド５１のロッド本体５１ａのスライド部５１ａｂが挿通されるスリーブ５５ａと、取付部材２の貫通孔２９と支持部材３の貫通孔３７とよりも大きく形成された頭部５５ｂと、外径が取付部材２の貫通孔２９と支持部材３の貫通孔３７との径よりも小さく形成されたネジ部５５ｃとからなる。規制溝５６，５７は、支持部材３の支持枠３１の窓３２が開口された面に直交する下側の面にロッド５１のロッド本体５１ａの操作部５１ａｃが係合する半長孔形，長孔形に形成され、パイプ１の軸方向となる方向へ並列されている。
【００４８】
第２例では、パイプ１の切残部１２を取付部材２の取付部材本体２８に係合させ、パイプ１の切欠部１１を取付部材２の取付部材本体２８の外側に当接させ、逆止弁操作機構５のスリーブボルト５５のネジ部５５ｃを取付部材２の貫通孔２９と支持部材３の貫通孔３７とに挿通して、スリーブボルト５５のネジ部５５ｃにナット５３，ワッシャ５４を嵌合，螺合させて締付けることで、パイプ１を取付部材２を介して支持部材３に連結取付けすることができる。この結果、取付部材２，支持部材３の連結のための専用別個の連結部材が不要になるため、部材点数が削減されて構造が簡素化され製造コストが低減される。
このとき、取付部材２の取付部材本体２８を回動させることで、パイプ１，取付部材２を回動させてパイプ１を取付けられている洗浄ノズルの噴射角度を調整することができる。
【００４９】
そして、支持部材３に支持されて配設されたパイプ１の開放された端口は、取付部材２によって一部が閉塞されるものの、支持部材３の窓３２に連通されてさらに外部へと連通されることになる。
【００５０】
なお、取付部材２，支持部材３を連結したスリーブボルト５５に挿通された逆止弁操作機構５のロッド５１のロッド本体５１ａについては、操作部５１ａｃがパイプ１から離れた側の半長孔形の規制溝５６に係合している場合（図６（Ａ）参照）にロッド５１のヘッド５１ｂが逆止弁４の弁体４２に当接しないように後退され、操作部５１ａｃがパイプ１に近接した側の長孔形の規制溝５７に係合している場合（図６（Ｂ）参照）にロッド５１のヘッド５１ｂが逆止弁４の弁体４２を押して弁座４１から離間させるように進出される。ロッド５１のロッド本体５１ａの操作部５１ａｃと規制溝５６，５７との係合，離脱については、ロッド本体５１ａの回動，スライドによって簡単に行うことができる（図７参照）。
【００５１】
第２例によると、食器洗浄機を運転する際には、図６（Ａ）に示すように、逆止弁操作機構５のロッド５１を後退させておくことになる。
【００５２】
食器洗浄機の運転によって洗浄ノズルに洗浄液が供給されると、第１例と同様に、パイプ１に流通される洗浄液の水圧で逆止弁４の弁体４２が弁座４１に押付けられる。この結果、逆止弁４が閉鎖されてパイプ１の端口からの洗浄液の漏出が阻止される。
【００５３】
パイプ１の内部を清掃するには、図６（Ｂ）に示すように、逆止弁操作機構５のロッド５１を進出させることになる。
【００５４】
逆止弁操作機構５のロッド５１の進出は、第１例と同様に、逆止弁４の弁体４２の弁座４１からの離間をもたらす。この結果、逆止弁４が開放されて弁体４２の弁座４１の間に隙間Ｓが形成されれる。従って、食器洗浄のための洗浄液の流通経路を利用して清掃液Ｗを噴射等することによって、パイプ１の内部を清掃し汚損した清掃液Ｗをパイプ１の端口から支持部材３の窓３２を介してさらに外部に排出することができる。
【００５５】
パイプ１の内部を清掃の後には、図６（Ａ）に示すように、逆止弁操作機構５のロッド５１を復帰（後退）させることになる。
【００５６】
即ち、パイプ１の内部を清掃する際に、特許文献１に係る配管端末構造のようなパイプ１等についての分解，組付作業や付随作業を不要にすることができ、第１例よりも操作が簡単になる。従って、パイプ１の内部の清掃作業をより確実に容易化することができる。
【００５７】
また、パイプ１の内部を清掃する際には、図９に示すように、外部から支持部材３の窓３２を介してパイプ１の端口へ第１例と同様に清掃液Ｗを噴射等することもできる。
【００５８】
以上、図示した形態の外に、逆止弁４を板形の弁体４２が開閉される構造のもの等とすることも可能である。また、逆止弁４の構造の変更にともなって、逆止弁操作機構５の構造等を変更することも可能である。
【００５９】
さらに、清掃液Ｗを交互に逆方向から噴射等する清掃を行うことも可能である。
【産業上の利用可能性】
【００６０】
本発明に係る配管端末構造は、食器洗浄以外に食品製造等の広範な分野で実施することが可能である。
【図面の簡単な説明】
【００６１】
【図１】本発明に係る配管端末構造を実施するための最良の形態の第１例の断面図である。
【図２】図１の異なる動作状態図である。
【図３】図１の側面図である。
【図４】図１の分解状態の斜視図である。
【図５】図２とは別の清掃例を示す図である。
【図６】本発明に係る配管端末構造を実施するための最良の形態の第２例の断面図であり、（Ａ），（Ｂ）に異なる動作状態が示されている。
【図７】図６の側面図である。
【図８】図６の分解状態の斜視図である。
【図９】図６（Ｂ）とは別の清掃例を示す図であり、一部が図７のＸ−Ｘ線に沿って切断されている。
【符号の説明】
【００６２】
１            パイプ
２            取付部材
３            支持部材
３２          窓
４            逆止弁
４１          弁座
４２          弁体
５            逆止弁操作機構
５１          ロッド
Ｗ            清掃液
【図１】
2010038276.tif 000003
【図２】
2010038276.tif 000004
【図３】
2010038276.tif 000005
【図４】
2010038276.tif 000006
【図５】
2010038276.tif 000007
【図６】
2010038276.tif 000008
【図７】
2010038276.tif 000009
【図８】
2010038276.tif 000010
【図９】
2010038276.tif 000011